(57)【要約】【課題】温度ディレーティング制御を行う場合に、表示時間を長く確保することを可能とする。【解決手段】制御部１０は、温度ディレーティング制御において、温度検出値が第１の値以上である場合に、最大調光値をバックライト２２が消灯する値とし、前記温度検出値が前記第１の値よりも小さい第２の値未満であるか、所定時間における前記温度検出値の上昇量が所定の閾値未満である場合に、第１の温度ディレーティングデータ１１Ｂに基いて前記最大調光値を決定し、前記温度検出値が前記第２の値以上であり、かつ、前記上昇量が前記閾値以上である場合に、それ以後は所定の条件を満たすまで第２の温度ディレーティングデータ１１Ｃに基いて前記最大調光値を決定する。【選択図】図１
2018151450.tif 000002
【特許請求の範囲】
【請求項１】
液晶表示パネルと、前記液晶表示パネルを照明する照明部と、を有する表示器と、前記液晶表示パネルの温度を示す温度検出値を取得する温度入力部と、前記温度検出値に応じて前記照明部の輝度を制限する最大調光値を決定する温度ディレーティング制御を行う制御部と、を備える液晶表示装置であって、
複数の温度検出値に対応付けられた複数の第１の最大調光値を含む第１の温度ディレーティングデータと、前記複数の温度検出値に対応付けられた複数の第２の最大調光値を含む第２の温度ディレーティングデータと、を格納する記憶部をさらに備え、
前記第２の温度ディレーティングデータにおける少なくとも一部の第２の最大調光値は、前記第１の温度ディレーティングデータにおいて同じ温度検出値に対応する第１の最大調光値よりも小さい値であり、
前記制御部は、前記温度ディレーティング制御において、前記温度検出値が第１の値以上である場合に、前記最大調光値を前記照明部が消灯する値とし、前記温度検出値が前記第１の値よりも小さい第２の値未満であるか、所定時間における前記温度検出値の上昇量が所定の閾値未満である場合に、前記第１の温度ディレーティングデータに基いて前記最大調光値を決定し、前記温度検出値が前記第２の値以上であり、かつ、前記上昇量が前記閾値以上である場合に、それ以後は所定の条件を満たすまで前記第２の温度ディレーティングデータに基いて前記最大調光値を決定する、
ことを特徴とする液晶表示装置。
【請求項２】
前記条件は、前記温度検出値が前記第１の値よりも小さい第３の値未満であり、かつ、前記第２の温度ディレーティングデータに基づく前記最大調光値の決定を所定回数以上実行した場合である、
ことを特徴とする請求項１に記載の液晶表示装置。
【請求項３】
液晶表示パネルと、前記液晶表示パネルを照明する照明部と、を有する表示器を備え、前記液晶表示パネルの温度を示す温度検出値を入力し、前記温度検出値に応じて前記照明部の輝度を制限する最大調光値を決定する温度ディレーティング制御を行う液晶表示装置の制御方法であって、
前記温度ディレーティング制御において、前記温度検出値が第１の値以上である場合に、前記最大調光値を前記照明部が消灯となる値とし、前記温度検出値が前記第１の値よりも小さい第２の値未満であるか、所定時間における前記温度検出値の上昇量が所定の閾値未満である場合に、第１の温度ディレーティングデータに基いて前記最大調光値を決定し、前記温度検出値が前記第２の値Ｔｂ以上であり、かつ、前記上昇量が前記閾値以上である場合に、それ以後は所定の条件を満たすまで第２の温度ディレーティングデータに基いて前記最大調光値を決定し、
前記第１の温度ディレーティングデータは、複数の温度検出値に対応付けられた複数の第１の最大調光値を含み、前記第２の温度ディレーティングデータは、前記複数の温度検出値に対応付けられた複数の第２の最大調光値を含み、前記第２の温度ディレーティングデータにおける少なくとも一部の第２の最大調光値は、前記第１の温度ディレーティングデータにおいて同じ温度検出値に対応する第１の最大調光値よりも小さい値である、
ことを特徴とする液晶表示装置の制御方法。
【請求項４】
前記条件は、前記温度検出値が前記第１の値よりも小さい第３の値以下であり、かつ、前記第２の温度ディレーティングデータに基づく前記最大調光値の決定を所定回数以上実行した場合である、
ことを特徴とする請求項３に記載の液晶表示装置の制御方法。
【発明の詳細な説明】
【技術分野】
【０００１】
本発明は、液晶表示装置及びその制御方法に関する。
【背景技術】
【０００２】
従来、液晶表示装置は、特許文献１に開示されるように、太陽光が照射されること、及び、バックライトの発熱により、高温となり、液晶が液化温度に達し表示不能になるおそれがある。特許文献１に開示される液晶表示装置はヘッドアップディスプレイ装置に用いられるものであるが、利用者が画面を直視する液晶表示装置においても同様に温度上昇による表示不能のおそれがある。これに対し、バックライトの輝度を制限する（低下させたり、消灯したりする）制御、いわゆる温度ディレーティング制御を行うことが知られている（特許文献１参照）。温度ディレーティング制御により、液晶表示装置の温度上昇を遅らせ、表示時間を確保することができる。
【先行技術文献】
【特許文献】
【０００３】
【特許文献１】特開２０１３−２２８４４２号公報
【発明の概要】
【発明が解決しようとする課題】
【０００４】
しかしながら、温度ディレーティング制御を行う場合に、太陽光による温度上昇が急激であると液晶表示装置の表示時間が短くなるという点でなお改良の余地があった。
【０００５】
本発明は、上記の点に鑑みてなされたものであり、温度ディレーティング制御を行う場合に、表示時間を長く確保することが可能な液晶表示装置及びその制御方法を提供することを目的とする。
【課題を解決するための手段】
【０００６】
本発明の液晶表示装置は、前述の課題を解決するために、液晶表示パネルと、前記液晶表示パネルを照明する照明部と、を有する表示器と、
前記液晶表示パネルの温度を示す温度検出値を取得する温度入力部と、前記温度検出値に応じて前記照明部の輝度を制限する最大調光値を決定する温度ディレーティング制御を行う制御部と、を備える液晶表示装置であって、
複数の温度検出値に対応付けられた複数の第１の最大調光値を含む第１の温度ディレーティングデータと、前記複数の温度検出値に対応付けられた複数の第２の最大調光値を含む第２の温度ディレーティングデータと、を格納する記憶部をさらに備え、
前記第２の温度ディレーティングデータにおける少なくとも一部の第２の最大調光値は、前記第１の温度ディレーティングデータにおいて同じ温度検出値に対応する第１の最大調光値よりも小さい値であり、
前記制御部は、前記温度ディレーティング制御において、前記温度検出値が第１の値以上である場合に、前記最大調光値を前記照明部が消灯する値とし、前記温度検出値が前記第１の値よりも小さい第２の値未満であるか、所定時間における前記温度検出値の上昇量が所定の閾値未満である場合に、前記第１の温度ディレーティングデータに基いて前記最大調光値を決定し、前記温度検出値が前記第２の値以上であり、かつ、前記上昇量が前記閾値以上である場合に、それ以後は所定の条件を満たすまで前記第２の温度ディレーティングデータに基いて前記最大調光値を決定する、
ことを特徴とする。
【０００７】
本発明の液晶表示装置の制御方法は、前述の課題を解決するために、液晶表示パネルと、前記液晶表示パネルを照明する照明部と、を有する表示器を備え、前記液晶表示パネルの温度を示す温度検出値を入力し、前記温度検出値に応じて前記照明部の輝度を制限する最大調光値を決定する温度ディレーティング制御を行う液晶表示装置の制御方法であって、
前記温度ディレーティング制御において、前記温度検出値が第１の値以上である場合に、前記最大調光値を前記照明部が消灯となる値とし、前記温度検出値が前記第１の値よりも小さい第２の値未満であるか、所定時間における前記温度検出値の上昇量が所定の閾値未満である場合に、第１の温度ディレーティングデータに基いて前記最大調光値を決定し、前記温度検出値が前記第２の値Ｔｂ以上であり、かつ、前記上昇量が前記閾値以上である場合に、それ以後は所定の条件を満たすまで第２の温度ディレーティングデータに基いて前記最大調光値を決定し、
前記第１の温度ディレーティングデータは、複数の温度検出値に対応付けられた複数の第１の最大調光値を含み、前記第２の温度ディレーティングデータは、前記複数の温度検出値に対応付けられた複数の第２の最大調光値を含み、前記第２の温度ディレーティングデータにおける少なくとも一部の第２の最大調光値は、前記第１の温度ディレーティングデータにおいて同じ温度検出値に対応する第１の最大調光値よりも小さい値である、
ことを特徴とする。
【発明の効果】
【０００８】
本発明によれば、温度ディレーティング制御を行う場合に、表示時間を長く確保することが可能となる。
【図面の簡単な説明】
【０００９】
【図１】本発明の実施形態である車両用表示装置の構成を示すブロック図である。
【図２】本実施形態におけるバックライト制御を示すフロー図である。
【図３】同上バックライト制御における温度ディレーティング制御を示すフロー図である。
【図４】（ａ）調光データを示す図であり、（ｂ）第１の温度ディレーティングデータを示す図であり、（ｃ）第２の温度ディレーティングデータを示す図である。
【図５】本実施形態における今回の温度検出値と今回の最大調光値との関係を示す図である。
【図６】別例における今回の温度検出値と今回の最大調光値との関係を示す図である。
【発明を実施するための形態】
【００１０】
以下、本発明に係る実施形態について図面を参照して説明する。なお、本発明は下記の実施形態（図面の内容も含む。）によって限定されるものではない。下記の実施形態に変更（構成要素の削除も含む）を加えることができるのはもちろんである。また、以下の説明では、本発明の理解を容易にするために、公知の技術的事項の説明を適宜省略する。
【００１１】
図１は、本発明の実施形態に係る車両用表示装置１００の構成を示す図である。
車両用表示装置１００は、本発明の液晶表示装置の一例であり、制御部１０と表示器２０とを備えてなる。
【００１２】
制御部１０は、例えばマイクロコンピュータからなり、制御部１０が実行する処理（表示器２０の制御など）を実際に行うＣＰＵ（Central Processing Unit）と、ＣＰＵのメインメモリとして機能するＲＡＭ（Random Access Memory）と、制御部１０に後述の処理などを実行させる各種プログラムを格納するＲＯＭ（Read Only Memory）からなる記憶部１１と、制御部１０に入出力される情報（信号）をＣＰＵ用にデジタル変換したり出力用にアナログ変換したりする各種変換器と、を備える。制御部１０は、ＣＰＵに加えて、制御部１０が行う処理の一部をＣＰＵに代わって実行するための各種専用回路（例えば、画像処理回路など）を備えても良い。制御部１０は、本発明の温度入力部としても機能し、後述する温度センサ２３から温度検出値を取得する。また、制御部１０は、照度入力部としても機能し、後述する照度センサ２３から照度検出値を取得する。制御部１０は、温度検出値及び照度検出値に基いて、後述するバックライト２２の輝度を制御するバックライト制御を行う。記憶部１１には、後述する調光データ１１Ａ、第１，第２の温度ディレーティングデータ１１Ｂ，１１Ｃが格納されている。
【００１３】
表示器２０は、液晶表示パネル２１と、バックライト２２（照明部の一例）と、を有する透過型の表示器であり、車両情報を報知する報知画像を表示するものである。本実施形態において、ユーザ（主に、運転者）は、表示器２０に表示された前記報知画像を直接視認する。また、表示器２０には、液晶表示パネル２１に照射される外光の明るさ（照度）を検出するための照度センサ２３と、液晶表示パネル２１の温度を検出するための温度センサ２４と、が設けられている。
【００１４】
液晶表示パネル２１は、例えば、ガラスや樹脂等の透明な材料で形成され、互いに対向する一対の基板と、ＩＴＯ（Indium Tin Oxide）等の透明導電材料からなり、前記一対の基板の互いに対向する面に各々形成される透明電極と、この透明電極の各々を覆う配向膜と、前記一対の基板同士を接合するシール材と、前記一対の基板間に形成される空間に封入される液晶層と、前記一対の基板を外側から挟むように配置される一対の偏光板と、を備える。液晶表示パネル２１は、公知の液晶表示パネルを適宜用いることができ、ＴＮ（Twisted Nematic）型、ＶＡ（Vertical Alignment）型、ＳＴＮ（Super-Twisted Nematic）型、強誘電性型のいずれであってもよい。また、液晶表示パネル２１は、ＴＦＴ（Thin Film Transistor）型、パッシブ駆動型、スタティック駆動型のいずれであってもよい。
【００１５】
バックライト２２は、例えば、１又は複数のＬＥＤ（Light Emitting Diode）から構成され、液晶表示パネル２１の背面側に配置されている。バックライト２２は、後述する制御部１０のバックライト制御のもと、適切な輝度の照明光を出射する。これにより、表示器２０は透過表示を行う。
【００１６】
照度センサ２３は、液晶表示パネル２１に照射される外光の明るさを検出するために設けられるものである。照度センサ２３は、例えば照射された光の明るさによって電流変化するフォトダイオードからなり、液晶表示パネル２１の近傍に配置される。照度センサ２３は、検出した光の明るさをアナログ信号からなる照度検出値に変換し、制御部１０に出力する。制御部１０は、照度センサ２３から入力した照度検出値に基いて、後述する調光制御を行う。
【００１７】
温度センサ２４は、液晶表示パネル２１の温度を検出するために設けられるものである。温度センサ２４は、例えば温度によってその抵抗値が変化するサーミスタからなり、液晶表示パネル２１の近傍に配置される。温度センサ２４は、検出した温度をアナログ信号からなる温度検出値に変換し、制御部１０に出力する。制御部１０は、温度センサ２３から入力した温度検出値に基いて、後述する温度ディレーティング制御を行う。
【００１８】
次に、制御部１０におけるバックライト制御について、図２及び図４を用いて説明する。制御部１０は、例えば電源がオンされたときに、バックライト制御を開始する。なお、バックライト制御とともに液晶表示パネル２１に画像を描画する画像表示制御が行われ、表示器２０に所定の報知画像が表示される。
【００１９】
ステップＳ１で、制御部１０は、照度センサ２３からの照度検出値及び温度センサ２４からの温度検出値を入力する。
【００２０】
ステップＳ２で、制御部１０は、入力した照度検出値（以下、今回の照度検出値Ｌｎｏｗともいう）と記憶部１１に格納される調光データ１１Ａとに基いて、バックライト２２の調光値（以下、今回の調光値Ｐｎｏｗともいう）を決定する（調光制御）。具体的には、調光データ１１Ａは、図４（ａ）に示すように、複数の照度検出値Ｌ１〜Ｌｘ（ｘは正の整数）に各々対応付けられた複数の調光値Ｐ１〜Ｐｘを含むデータテーブルである。調光データ１１Ａは、概ね照度検出値Ｌ１〜Ｌｘが高くなるほど対応する調光値Ｐ１〜Ｐｘも高くなるように設定されている。例えば、制御部１０は、調光データ１１Ａを参照し、今回の照度検出値Ｌｎｏｗに最も近似する照度検出値Ｌ１〜Ｌｘに対応付けられた調光値Ｐ１〜Ｐｘを記憶部１１から読み出し、今回の調光値Ｐｎｏｗとする。なお、今回の照度検出値Ｌｎｏｗが照度検出値Ｌ１〜Ｌｘの中間値である場合は補間処理によって今回の照度検出値Ｐｎｏｗを算出してもよい。
【００２１】
ステップＳ３で、制御部１０は、入力した温度検出値（以下、今回の温度検出値Ｔｎｏｗともいう）と記憶部１１に格納される第１，第２の温度ディレーティングデータ１１Ｂ，１１Ｃとに基いて、バックライト２２の最大調光値（以下、今回の最大調光値Ｐｍａｘともいう）を算出する（温度ディレーティング制御）。本実施形態における温度ディレーティング制御の詳細については後で述べる。
【００２２】
ステップＳ４で、制御部１０は、ステップＳ２で設定した今回の調光値ＰｎｏｗとステップＳ３で設定した今回の最大調光値Ｐｍａｘとのいずれかに基いてバックライト２２に制御信号を出力する（調光出力）。例えばバックライト２２の輝度制御がＰＷＭ（Pulse Width Modulation）制御による場合、今回の調光値Ｐｎｏｗあるいは今回の最大調光値Ｐｍａｘに基いて制御信号のオン時間の幅が変動することでバックライト２２の輝度が調整される。具体的に、制御部１０は、今回の調光値Ｐｎｏｗと今回の最大調光値Ｐｍａｘとを比較し、今回の調光値Ｐｎｏｗが今回の最大調光値Ｐｍａｘより小さい場合は今回の調光値Ｐｎｏｗに基いて制御信号を出力し、今回の調光値Ｐｎｏｗが今回の最大調光値Ｐｍａｘ以上である場合は今回の最大調光値Ｐｍａｘに基いて制御信号を出力する。すなわち、バックライト２２の輝度は今回の最大調光値Ｐｍａｘに応じた輝度に制限される。今回の最大調光値Ｐｍａｘが０（ゼロ）である場合は、バックライト２２は消灯する。
【００２３】
制御部１０は、以上のバックライト制御を電源がオフされるまで繰り返し実行する。これにより、液晶表示パネル２１の周囲の外光の明るさと液晶表示パネル２１の温度とに基いて、バックライト２２の輝度が制御される。
【００２４】
次に、制御部１０における温度ディレーティング制御について、図３及び図４を用いて説明する。前述のように、温度ディレーティング制御は、バックライト制御におけるステップＳ３で実行される。
【００２５】
ステップＳ３１において、制御部１０は、今回の温度検出値Ｔｎｏｗが第1の値Ｔａ以上であるか否かを判定する。今回の温度検出値Ｔｎｏｗが第１の値Ｔａ未満である場合（ステップＳ３１でＮＯ）は、ステップＳ３２に進む。今回の温度検出値Ｔｎｏｗが第1の値Ｔａ以上である場合（ステップＳ３１でＹＥＳ）は、ステップＳ４２に進む。
【００２６】
ステップＳ３２において、制御部１０は、所定時間における温度検出値の上昇量ｄＴを算出する。温度検出値の上昇量ｄＴは、今回の温度検出値Ｔｎｏｗから前回の温度検出値Ｔｏｌｄを減算した値である（ｄＴ＝Ｔｎｏｗ−Ｔｏｌｄ）。
【００２７】
ステップＳ３３において、制御部１０は、遅延フラグｆがオン状態であるか否かを判定する。なお、遅延フラグｆの初期状態はオフ状態であるものとする。遅延フラグｆがオン状態でない場合（ステップＳ３３でＮＯ）は、ステップＳ３４に進む。遅延フラグｆがオン状態である場合（ステップＳ３３でＹＥＳ）は、ステップＳ３７に進む。
【００２８】
ステップＳ３４において、制御部１０は、今回の温度検出値Ｔｎｏｗが第２の値Ｔｂ以上であるか否かを判定する。第２の値Ｔｂは、第１の値Ｔａより小さい値が設定される（Ｔｂ＜Ｔａ）。今回の温度検出値Ｔｎｏｗが第２の値Ｔｂ以上である場合（ステップＳ３４でＹＥＳ）は、ステップＳ３５に進む。今回の温度検出値Ｔｎｏｗが第２の値Ｔｂ未満である場合（ステップＳ３４でＮＯ）は、ステップＳ３９に進む。
【００２９】
ステップＳ３５において、制御部１０は、温度検出値の上昇量ｄＴが所定の閾値ｄＴＨ以上であるか否かを判定する。温度検出値の上昇量ｄＴが閾値ｄＴＨ以上である場合は、ステップＳ３６に進む。温度検出値の上昇量ｄＴが閾値ｄＴＨより小さい場合は、ステップＳ３９に進む。
【００３０】
ステップＳ３６において、制御部１０は、遅延フラグｆをオン状態とし、カウント値Ｃを初期化する（初期値とする）。ステップＳ３６の後はステップＳ４１に進む。
【００３１】
ステップＳ３７において、制御部１０は、カウント値Ｃをデクリメント（１を減算）する。
【００３２】
ステップＳ３８において、制御部１０は、今回の温度検出値Ｔｎｏｗが第３の値Ｔｃ未満であるか否かを判定する。第３の値Ｔｃは第１の値Ｔａより小さい値が設定される（Ｔｃ＜Ｔａ）。また、第３の値Ｔｃは第２の値Ｔｂ以下であることが望ましい（Ｔｃ≦Ｔｂ）。今回の温度検出値Ｔｎｏｗが第３の値Ｔｃ以上である場合（ステップＳ３８でＮＯ）は、ステップＳ４１に進む。今回の温度検出値Ｔｎｏｗが第３の値Ｔｃ未満である場合（ステップＳ３８でＹＥＳ）は、ステップＳ３９に進む。
【００３３】
ステップＳ３９において、制御部１０は、カウント値Ｃが０（ゼロ）であるか否かを判定する。カウント値Ｃが０である場合（ステップＳ３９でＹＥＳ）は、ステップＳ４０に進む。カウント値Ｃが０でない場合は（ステップＳ３９でＮＯ）は、ステップＳ４１に進む。
【００３４】
ステップＳ４０において、制御部１０は、遅延フラグｆをオフ状態とする。ステップＳ４０の後はステップＳ４１に進む。
【００３５】
ステップＳ４１において、制御部１０は、遅延フラグｆの状態に応じて、今回の最大調光値Ｐｍａｘを決定する。具体的に、制御部１０は、遅延フラグｆがオフ状態である場合は第１の温度ディレーティングデータ１１Ｂに基いて今回の最大調光値Ｐｍａｘを決定する。図４（ｂ）に示すように、第１の温度ディレーティングデータ１１Ｂは、第１の値Ｔａよりも小さい複数の温度検出値Ｔ１〜Ｔｙ（ｙは正の整数）と、複数の温度検出値Ｔ１〜Ｔｙに対応付けられた複数の第１の最大調光値Ｐ１１〜Ｐ１ｙと、を含むデータテーブルである。第１の最大調光値Ｐ１１〜Ｐ１ｙは、最小の温度検出値Ｔ１に対応する第１の最大調光値Ｐ１１が最大となり、最大の温度検出値Ｔｙに対応する第１の最大調光値Ｐ１ｙが最小となるように設定される。言い換えると、第１の最大調光値Ｐ１１〜Ｐ１ｙは、概ね対応する温度検出値Ｔ１〜Ｔｙが大きくなるのに応じて値が大きくなる。第１の最大調光値Ｐ１１〜Ｐ１ｙはその一部で値が等しくてもよい。例えば、対応する温度検出値Ｔ１〜Ｔｙの値が小さい範囲においては第１の最大調光値Ｐ１１〜Ｐ１ｙは最大値を維持してもよい。制御部１０は、第１の温度ディレーティングデータ１１Ｂを参照し、今回の温度検出値Ｔｎｏｗと最も近似する（等しい場合を含む）温度検出値Ｔ１〜Ｔｙに対応付けられた第１の最大調光値Ｐ１１〜Ｐ１ｙを今回の最大調光値Ｐｍａｘとする。また、制御部１０は、今回の温度検出値Ｔｎｏｗが温度検出値Ｔ１〜Ｔｙの２つの値の中間である場合は補間処理によって今回の最大調光値Ｐｍａｘを算出してもよい。また、制御部１０は、遅延フラグｆがオン状態である場合は第２の温度ディレーティングデータ１１Ｃに基いて最大調光値Ｐｍａｘを決定する。図４（ｃ）に示すように、第２の温度ディレーティングデータ１１Ｃは、第１の温度ディレーティングデータ１１Ｂと同様の複数の温度検出値Ｔ１〜Ｔｙと、複数の温度検出値Ｔ１〜Ｔｙに対応付けられた複数の第２の最大調光値Ｐ２１〜Ｐ２ｙと、を含むデータテーブルである。第２の最大調光値Ｐ２１〜Ｐ２ｙは、最小の温度検出値Ｔ１に対応する第２の最大調光値Ｐ２１が最大となり、最大の温度検出値Ｔｙに対応する第１の最大調光値Ｐ２ｙが最小となるように設定される。言い換えると、第２の最大調光値Ｐ２１〜Ｐ２ｙは、概ね対応する温度検出値Ｔ１〜Ｔｙが大きくなるのに応じて値が大きくなる。また、第２の最大調光値Ｐ２１〜Ｐ２ｙの少なくとも一部は、第１の温度ディレーティングデータ１１Ｂにおいて同じ温度検出値Ｔ１〜Ｔｙに対応する第１の最大調光値Ｐ１１〜Ｐ１ｙよりも小さい値に設定される。例えば、第２の最大調光値Ｐ２ｙは第１の最大調光値Ｐ１ｙと等しく、その他の第２の最大調光値Ｐ２１、Ｐ２２、Ｐ２３・・・は第１の最大調光値Ｐ１１、Ｐ１２、Ｐ１３・・・より小さくなるように設定される。例えば、制御部１０は、第２の温度ディレーティングデータ１１Ｃを参照し、今回の温度検出値Ｔｎｏｗと最も近似する（等しい場合を含む）温度検出値Ｔ１〜Ｔｙに対応付けられた第２の最大調光値Ｐ２１〜Ｐ２ｙを今回の最大調光値Ｐｍａｘとする。また、制御部１０は、今回の温度検出値Ｔｎｏｗが温度検出値Ｔ１〜Ｔｙの２つの値の中間である場合は補間処理によって今回の最大調光値Ｐｍａｘを算出してもよい。ステップＳ４１の後は温度ディレーティング制御を終了する。これにより、バックライト制御のその後の処理においてバックライト２２の輝度は今回の最大調光値Ｐｍａｘに応じた輝度に制限される。
【００３６】
ステップＳ４２において、制御部１０は、今回の最大調光値Ｐｍａｘを０（ゼロ）とする。ステップＳ４２の後は温度ディレーティング制御を終了する。調光値の０（ゼロ）は、バックライト２２が消灯する値であるものとする。例えば、ＰＷＭ制御においては制御信号のオン時間が０（ゼロ）となる。これにより、バックライト制御のその後の処理においてバックライト２２は消灯する。
【００３７】
次に、図５を用いて上述の温度ディレーティング制御を行うことによる作用及び効果について説明する。図５は、今回の温度検出値Ｔｎｏｗと今回の最大調光値Ｐｍａｘとの関係を示す図である。第１の温度ディレーティング特性Ｉ１は、今回の温度検出値Ｔｎｏｗと第１の温度ディレーティングデータ１１Ｂに基いて決定される今回の最大調光値Ｐｍａｘとの関係を示す。第２の温度ディレーティング特性Ｉ２は、今回の温度検出値Ｔｎｏｗと第２の温度ディレーティングデータ１１Ｃに基いて決定される今回の最大調光値Ｐｍａｘとの関係を示す。
【００３８】
本実施形態における温度ディレーティング制御は、遅延フラグｆの初期状態がオフ状態であり、第１の温度ディレーティングデータ１１Ｂに基いて今回の最大調光値Ｐｍａｘが決定されることが基本となる。これに加え、今回の温度検出値Ｔｎｏｗが第２の値Ｔｂ以上であり（ステップＳ３４でＹＥＳ）、かつ、温度検出値の上昇量ｄＴが閾値ｄＴＨ以上である場合（ステップＳ３５でＹＥＳ）、遅延フラグｆがオン状態となり（ステップＳ３６）、第２の温度ディレーティングデータ１１Ｃに基いて今回の最大調光値Ｐｍａｘを決定する状態に移行する。例えば、図５に示すように今回の温度検出値Ｔｎｏｗが所定の第４の値Ｔｄであった場合を考える。なお、第４の値Ｔｄは第1の値Ｔａより小さいものとする（Ｔｄ＜Ｔａ）。このとき、通常であれば第１の温度ディレーティングデータ１１Ｂに基いて今回の最大調光値Ｐｍａｘは最大調光値Ｐａに決定される。一方、第４の値Ｔｄが第２の値Ｔｂ以上であり（ステップＳ３４でＹＥＳ）、かつ、所定時間における温度検出値の上昇量ｄＴが閾値ｄＴＨ以上である場合（ステップＳ３５でＹＥＳ）は、遅延フラグｆはオン状態となり（ステップＳ３６）、第２の温度ディレーティングデータ１１Ｃに基いて今回の最大調光値Ｐｍａｘは最大調光値Ｐｂに決定される。すなわち、外光が液晶表示パネル２１に直接照射されるなどによって液晶表示パネル２１の温度が急激に上昇する場合には、最大調光値Ｐａと最大調光値Ｐｂとの差分ａだけ通常時よりも急峻にバックライト２２の輝度を下げることができる。したがって、液晶表示パネル２１の温度が短時間のうちに表示器２０が非表示となる（バックライト２２が消灯する）温度まで上昇することを抑制でき、１つの温度ディレーティングデータのみを用いる場合と比較して表示時間を長く確保することができる。
【００３９】
本実施形態の温度ディレーティング制御において、一度遅延フラグｆがオン状態となると、それ以後は所定の解除条件を満たすまで繰り返し第２の温度ディレーティングデータ１１Ｃに基いて今回の最大調光値Ｐｍａｘが決定されることとなる。ここで、解除条件とは、今回の温度検出値Ｔｎｏｗが第３の値Ｔｃ未満であり（ステップＳ３８でＹＥＳ）、かつ、カウント値Ｃが０（ゼロ）である場合（ステップＳ３９でＹＥＳ）、すなわち、第２の温度ディレーティングデータ１１Ｃに基づく今回の最大調光値Ｐｍａｘの決定を所定回数（カウント値Ｃの初期値）以上実行した場合である。例えば、液晶表示パネル２１の温度が上昇から低下に転じて、今回の温度検出値Ｔｎｏｗが図５に示す所定の第５の値Ｔｅであった場合を考える。なお、第５の値Ｔｅは第１の値Ｔａより小さいものとする（Ｔｅ＜Ｔａ）。このとき、上述の解除条件を満たすと遅延フラグｆはオフ状態となり（ステップＳ４０）、基本となる第１の温度ディレーティングデータ１１Ｂに基いて今回の最大調光値Ｐｍａｘは最大調光値Ｐｃに決定される。一方、上述の解除条件を満たさないと遅延フラグｆはオン状態に維持され、第２の温度ディレーティングデータ１１ｃに基いて今回の最大調光値Ｐｍａｘは最大調光値Ｐｄに決定される。すなわち、第２の温度ディレーティングデータ１１Ｃに基づく最大調光値Ｐｍａｘの決定から基本となる第１の温度ディレーティングデータ１１Ｂに基づく最大調光値Ｐｍａｘの決定に戻る場合は、最大調光値Ｐｃと最大調光値Ｐｄとの差分ｂだけ急峻にバックライト２２の輝度が上昇することとなる。これに対し、今回の温度検出値Ｔｎｏｗによる条件と実行回数による条件とを解除条件とすることで、第１の温度ディレーティングデータ１１Ｂに基づく今回の最大調光値Ｐｍａｘの決定と第２の温度ディレーティングデータ１１Ｃに基づく今回の最大調光値Ｐｍａｘとの決定とが短時間に交互に繰り返される（チャタリングの発生）ことを防ぎ、バックライト２２の輝度にちらつきが生じることを抑制できる。
【００４０】
本実施形態の車両用表示装置１００は、液晶表示パネル２１と、液晶表示パネル２１を照明するバックライト２２と、を有する表示器２０と、
液晶表示パネル２１の温度を示す温度検出値Ｔｎｏｗを取得する温度入力部（制御部１０）と、温度検出値Ｔｎｏｗに応じてバックライト２２の輝度を制限する最大調光値Ｐｍａｘを決定する温度ディレーティング制御を行う制御部１０と、を備える液晶表示装置であって、
複数の温度検出値Ｔ１〜Ｔｙに対応付けられた複数の第１の最大調光値Ｐ１１〜Ｐ１ｙを含む第１の温度ディレーティングデータ１１Ｂと、複数の温度検出値Ｔ１〜Ｔｙに対応付けられた複数の第２の最大調光値Ｐ２１〜Ｐ２ｙを含む第２の温度ディレーティングデータ１１Ｃと、を格納する記憶部１１をさらに備え、
第２の温度ディレーティングデータ１１Ｃにおける少なくとも一部の第２の最大調光値Ｐ２１〜Ｐ２ｙは、第１の温度ディレーティングデータ１１Ｂにおいて同じ温度検出値Ｔ１〜Ｔｙに対応する第１の最大調光値Ｐ１１〜Ｐ１ｙよりも小さい値であり、
制御部１０は、前記温度ディレーティング制御において、温度検出値Ｔｎｏｗが第１の値Ｔａ以上である場合に、最大調光値Ｐｍａｘをバックライト２２が消灯する値とし、温度検出値Ｔｎｏｗが第１の値Ｔａよりも小さい第２の値Ｔｂ未満であるか、所定時間における温度検出値Ｔｎｏｗの上昇量ｄＴが所定の閾値ｄＴＨ未満である場合に、第１の温度ディレーティングデータ１１Ｂに基いて最大調光値Ｐｍａｘを決定し、温度検出値Ｔｎｏｗが第２の値Ｔｂ以上であり、かつ、上昇量ｄＴが閾値ｄＴＨ以上である場合に、それ以後は所定の条件を満たすまで第２の温度ディレーティングデータ１１Ｃに基いて最大調光値Ｐｍａｘを決定する。
【００４１】
これによれば、温度ディレーティング制御を行う場合に、表示時間を長く確保することが可能となる。
【００４２】
また、車両用表示装置１００において、前記条件は、温度検出値Ｔｎｏｗが第１の値ｔａよりも小さい第３の値Ｔｃ未満であり、かつ、第２の温度ディレーティングデータ１１Ｃに基づく最大調光値Ｐｍａｘの決定を所定回数以上実行した場合である。
【００４３】
これによれば、バックライト２２の輝度のちらつきを抑制することができる。
【００４４】
本実施形態である車両用表示装置１００の制御方法は、液晶表示パネル２１と、液晶表示パネル２１を照明するバックライト２２と、を有する表示器２０を備え、液晶表示パネル２１の温度を示す温度検出値Ｔｎｏｗを入力し、温度検出値Ｔｎｏｗに応じてバックライト２２の輝度を制限する最大調光値Ｐｍａｘを決定する温度ディレーティング制御を行う液晶表示装置の制御方法であって、
前記温度ディレーティング制御において、温度検出値Ｔｎｏｗが第１の値Ｔａ以上である場合に、最大調光値Ｐｍａｘをバックライト２２が消灯となる値とし、温度検出値Ｔｎｏｗが第１の値Ｔａよりも小さい第２の値Ｔｂ未満であるか、所定時間における温度検出値Ｔｎｏｗの上昇量ｄＴが所定の閾値ｄＴＨ未満である場合に、第１の温度ディレーティングデータ１１Ｂに基いて最大調光値Ｐｍａｘを決定し、温度検出値Ｔｎｏｗが第２の値Ｔｂ以上であり、かつ、上昇量ｄＴが閾値ｄＴＨ以上である場合に、それ以後は所定の条件を満たすまで第２の温度ディレーティングデータ１１Ｃに基いて最大調光値Ｐｍａｘを決定し、
第１の温度ディレーティングデータ１１Ｂは、複数の温度検出値Ｔ１〜Ｔｙに対応付けられた複数の第１の最大調光値Ｐ１１〜Ｐ１ｙを含み、第２の温度ディレーティングデータ１１Ｃは、複数の温度検出値Ｔ１〜Ｔｙに対応付けられた複数の第２の最大調光値Ｐ２１〜Ｐ２ｙを含み、第２の温度ディレーティングデータ１１Ｃにおける少なくとも一部の第２の最大調光値Ｐ２１〜Ｐ２ｙは、第１の温度ディレーティングデータ１１Ｂにおいて同じ温度検出値Ｔ１〜Ｔｙに対応する第１の最大調光値Ｐ１１〜Ｐ１ｙよりも小さい値である。
【００４５】
これによれば、温度ディレーティング制御を行う場合に、表示時間を長く確保することが可能となる。
【００４６】
また、車両用表示装置１００の制御方法において、前記条件は、温度検出値Ｔｎｏｗが第１の値Ｔａよりも小さい第３の値Ｔｃ以下であり、かつ、第２の温度ディレーティングデータ１１Ｃに基づく最大調光値Ｐｍａｘの決定を所定回数以上実行した場合である。
【００４７】
これによれば、バックライト２２の輝度のちらつきを抑制することができる。
【００４８】
（別例）
なお、本発明の第２の温度ディレーティングデータは本実施形態に限定されるものではなく、少なくとも一部の第２の最大調光値が、第１の温度ディレーティングデータにおいて同じ温度検出値に対応する第１の最大調光値よりも小さい値に設定されるものであればよい。図６における第３の温度ディレーティング特性Ｉ３は、今回の温度検出値Ｔｎｏｗと第２の温度ディレーティングデータの別例に基いて決定される今回の最大調光値Ｐｍａｘとの関係を示す。第２の温度ディレーティングデータの別例においては、複数の一部の第２の最大調光値が、第１の温度ディレーティングデータにおいて同じ温度検出値に対応する第１の最大調光値よりも小さい値に設定される。また他の複数の一部の第２の最大調光値が同じ値であり、さらに他の複数の一部の第２の最大調光値は同じ温度検出値に対応する第１の最大調光値と同じ値に設定されている。
【００４９】
本実施形態の車両用表示装置１００は、ユーザが表示器２０に表示された報知画像を直視する直視型の液晶表示装置であったが、本発明は、ヘッドアップディスプレイ装置などに用いられる、ユーザがフロントガラスなどの被投影部材を介して報知画像（虚像）を視認する虚像型の液晶表示装置及びその制御方法に適用されてもよい。
【産業上の利用可能性】
【００５０】
本発明は、液晶表示装置及びその制御方法に好適である。
【符号の説明】
【００５１】
１００  車両用表示装置（液晶表示装置）
１０    制御部（温度入力部）
１１    記憶部
１１Ａ  調光データ
１１Ｂ  第１の温度ディレーティングデータ
１１Ｃ  第２の温度ディレーティングデータ
２０    表示器
２１    液晶表示パネル
２２    バックライト（照明部）
２３    照度センサ
２４    温度センサ
【図１】
2018151450.tif 000003
【図２】
2018151450.tif 000004
【図３】
2018151450.tif 000005
【図４】
2018151450.tif 000006
【図５】
2018151450.tif 000007
【図６】
2018151450.tif 000008